(57)【要約】 【課題】従来よりも省スペースで凝集沈殿を行うことができる排水処理システムを提供しようとするもの。 【解決手段】鉄又は／及びアルミニウムの陽極電極６を有し、陰極電極７との間で排水に電流を流し、前記排水中に鉄イオン又は／及びアルミニウムイオンを溶出させ、排水中の汚れ成分を凝集沈殿させるようにした。前記陽極電極６が排水を透過するように配置すると、排水が陽極電極６に沿って流れるようにした場合よりも、鉄イオンやアルミニウムイオンの溶出量が多いものとなり、排水中の汚れ成分の凝集沈殿能が高いものとなる。【選択図】図１
2013094740.tif 000002
【特許請求の範囲】
【請求項１】
鉄又は／及びアルミニウムの陽極電極（６）を有し、陰極電極（７）との間で排水に電流を流し、前記排水中に鉄イオン又は／及びアルミニウムイオンを溶出させ、排水中の汚れ成分を凝集沈殿させるようにしたことを特徴とする排水処理システム。
【請求項２】
前記電極により排水中の汚れ成分を電気分解するようにした請求項１記載の排水処理システム。
【請求項３】
前記電極により凝集成分の浮上を電気的に排斥するようにし、上方から次の処理槽（３）へと液が横溢して移行するようにした請求項１又は２記載の排水処理システム。
【請求項４】
前記電極を処理槽（３）内で斜めに配置して沈降した凝集成分の浮上を妨害するようにし、上方から次の処理槽（３）へと液が横溢して移行するようにした請求項１乃至３のいずれかに記載の排水処理システム。
【請求項５】
前記排水の凝集沈殿後の上澄み液を電解槽（９）に供給し、汚れ成分を電気分解するようにした請求項１乃至４のいずれかに記載の排水処理システム。
【請求項６】
前記電解槽（９）に供給後の排水を有隔膜電気分解槽の陽極側又は／及び陰極側に供給することによりそのｐHを中性域に調製するようにした請求項５記載の排水処理システム。
【請求項７】
前記電解槽（９）に供給後の排水をイオン透過性の電極に導いて陽イオン又は／及び陰イオンを除去するようにした請求項５又は６記載の排水処理システム。
【請求項８】
前記電解槽（９）の陰極で生成した水素ガスを収集して燃料電池に供給することにより発電して電気を起こすようにした請求項１乃至７のいずれかに記載の排水処理システム。
【請求項９】
凝集沈殿の処理槽（３）内の測定情報をインターネット回線を介して制御室で受信し、前記測定情報が適正範囲を維持するように遠隔制御するようにした請求項１乃至８のいずれかに記載の排水の処理システム。
【発明の詳細な説明】
【技術分野】
【０００１】
この発明は、凝集剤の薬剤の添加を不要にすることが出来る排水処理システムに関するものである。 
【背景技術】
【０００２】
従来より、水質保全対策技術のひとつで、凝集材を用いて水中の粒子を沈殿させる凝集沈殿が知られている（非特許文献１）。 
すなわち、粒子の沈降速度は、粒子のサイズや密度が大きくなるほど増し、逆に液体の密度が大きくなると低下する。粒子サイズが0.01mm程度以上の懸濁物質は自然に沈降する。それ以下の粒子では沈降速度が約1cm／分以下となるために、凝集剤を添加して粒子サイズを大きくし沈降速度を高くする。さらに懸濁状態から溶解状態や、コロイド状態の場合は、粒子の表面が同符号の電荷に帯電し（多くの場合負電荷：ゼータ電位）互いに反発し、安定に分散している。これに反対電荷をもつコロイド液か電解質溶液を添加すると電荷が中和されて粒子間に引力が働き塊状になり沈殿する。
凝集剤には、無機性の硫酸アルミニウム、ポリ塩化アルミニウム、硫酸鉄、塩化鉄などがあり、リン酸塩は消石灰や硫酸バン土によりを析出、除去する。高分子凝集剤は従来はコロイド粒子のみであったが、最近は着色性物質、COD、油分なども除去できる。
しかし、凝集沈殿には多段階としたかなり広い敷地（貯留ピット、溜め池）を必要とするという問題があった。 
【非特許文献１】ＥＩＣネット  凝集沈殿  ＜http://www.eic.or.jp/ecoterm/?act=view&serial=626＞
【発明の開示】
【発明が解決しようとする課題】
【０００３】
そこでこの発明は、従来よりも省スペースで凝集沈殿を行うことができる排水処理システムを提供しようとするものである。 
【課題を解決するための手段】
【０００４】
前記課題を解決するためこの発明では次のような技術的手段を講じている。 
(１)この発明の排水処理システムは、鉄又は／及びアルミニウムの陽極電極を有し、陰極電極との間で排水に電流を流し、前記排水中に鉄イオン又は／及びアルミニウムイオンを溶出させ、排水中の汚れ成分を凝集沈殿させるようにしたことを特徴とする。
【０００５】
この排水処理システムでは、鉄又は／及びアルミニウムの陽極電極から排水中に鉄イオン又は／及びアルミニウムイオンを溶出させることができ、これにより、液中に例えば塩化第二鉄やＰＡＣなどを生成させることが期待できる。
【０００６】
そして、排水中に溶出した鉄イオン又は／及びアルミニウムイオンにより、排水中の汚れ成分に電気的な引力を作用させることによって凝集沈殿させることが出来る。なお、排水の汚れの状態に応じて電流・電圧の制御の制御を行うことにより、鉄イオンやアルミニウムイオンの溶出量をコントロールすることができる。そして、陽極電極からの金属イオンの溶出状況に応じて定期的に電極の交換を行うことができる。
【０００７】
ここで、前記陽極電極が排水を透過するように配置すると、排水が陽極電極に沿って流れるようにした場合よりも、鉄イオンやアルミニウムイオンの溶出量が多いものとなり、排水中の汚れ成分の凝集沈殿能が高いものとなる。電極が排水を透過するようにするため、ポーラス（有孔）な電極とすることが出きる。なお、鉄イオンやアルミニウムイオンが仮に排水中に過剰に溶出した場合は、事後的な吸着により低減・除去することができる。
【０００８】
さらに、電極からの溶出を利用するようにしたので、多段階としたかなり広い敷地（貯留ピット、溜め池）は必要としないこととなる。
また、この排水処理システムは、従来の凝集沈殿処理のような複数の段階的なピット間の排水の移送用ポンプが不要であり、さらに処理槽に蓋を設けることによりピットのように雨水が入らないことになって酸性雨の影響を受けないことになる。
【０００９】
ここで、従来の凝集沈殿法では貯留ピットの汚れ成分の濃度（ＣＯＤ等）に大きな変動や周期的なアップダウンがあったが、この排水処理システムによると排水の水質に合わせて処理の状況を電解条件で制御することが出来るので、汚れ成分の濃度の大きな変動やアップダウンを吸収することができ、排水の浄化処理が非常にやり易くなる。
これにより、工場排水、風呂湯、プール水、その他の各種の排水・排液の浄化に好適に適用することができる。
【００１０】
（２）前記電極により排水中の汚れ成分を電気分解するようにしてもよい。
このように構成すると、電極から鉄イオン又は／及びアルミニウムイオンを溶出させると共に、併せて排水中の汚れ成分を電気分解して浄化することができる。ここで、塩分の共存下における電気分解では次亜塩素酸が発生し、この次亜塩素酸が排水中の汚れ成分を酸化分解することになる。また、電気分解により活性が高い・ＯＨラジカルが発生し、この・ＯＨラジカルが排水中の汚れ成分を酸化分解することになる。さらに、陽極による直接酸化により、排水中の汚れ成分を分解することになる。
【００１１】
（３）前記電極により凝集成分の浮上を電気的に排斥するようにし、上方から次の処理槽へと液が横溢して移行するようにしてもよい。
このように構成すると、沈降した凝集成分の浮上を電気的に排斥することにより、凝集成分が極力混ざらない液がこの処理槽の上方から次の処理槽へと横溢して移行するようにできる。また、駆動源を要するポンプなどを使用することなしに液を次工程へと移動させることができる。
前記次工程であるが、この凝集沈殿槽を２槽連続して配設することができ、１槽だけとして次に電解槽へと液を移動するようにすることもできる。
【００１２】
(４)前記電極を処理槽内で斜めに配置して沈降した凝集成分の浮上を妨害するようにし、上方から次の処理槽へと液が横溢して移行するようにしてもよい。
このように構成すると、沈降した凝集成分の浮上を電極で物理的に妨害することにより、凝集成分が極力混ざらない液がこの処理槽の上方から次の処理槽へと横溢して移行するようにできる。また、駆動源を要するポンプなどを使用することなしに液を次工程へと移動させることができる。
【００１３】
（５）前記排水の凝集沈殿後の上澄み液を電解槽に供給し、汚れ成分を電気分解するようにしてもよい。
このように構成すると、相対的に清浄化した凝集沈殿後の上澄み液を電解槽で電気分解することにより、当初の凝集成分による電極の汚染を抑制して電解処理を行うことができる。ここで、塩分の共存下における電気分解では次亜塩素酸が発生し、この次亜塩素酸が排水中の汚れ成分を酸化分解することになる。また、電気分解により活性が高い・ＯＨラジカルが発生し、この・ＯＨラジカルが排水中の汚れ成分を酸化分解することになる。さらに、陽極による直接酸化により、排水中の汚れ成分を分解することになる。
【００１４】
(６) 前記電解槽に供給後の排水を有隔膜電気分解槽の陽極側又は／及び陰極側に供給することによりそのｐHを中性域に調製するようにししてもよい。
このように構成すると、塩酸や硫酸、水酸化ナトリウムなどの薬剤を消費することなしに電気化学的にｐＨ調製を行うことができる。
【００１５】
（７）前記電解槽に供給後の排水をイオン透過性の電極に導いて陽イオン又は／及び陰イオンを除去するようにしてもよい。
このように構成すると、電解槽における浄化後の排水中の陽イオンや陰イオンを除去してさらに清浄化することができ、陽イオンと陰イオンを共に除去することにより純水を得ることが出来る。前記イオン透過性の電極として、陽極又は／及び陰極とを使用することができる。
【００１６】
（８）前記電解槽の陰極で生成した水素ガスを収集して燃料電池に供給することにより発電して電気を起こすようにしてもよい。
このように構成すると、従来は空気中に無為に放散していた水素ガスの有効利用を図ることが出来る。
【００１７】
（９）凝集沈殿の処理槽内の測定情報をインターネット回線を介して制御室で受信し、前記測定情報が適正範囲を維持するように遠隔制御するようにしてもよい。
このように構成すると、インターネット回線（電気通信回線）により中央管理センターの制御室で全国あちこちの排水の処理状況を監視し、制御（リモート）することができる。前記測定情報が適正範囲を維持するように、自動で遠隔制御するようにしてもよい。
前記処理槽内の測定情報として、電導度情報、塩濃度情報、残留塩素濃度情報、電流値情報、電圧値情報、消費電力情報、電流密度情報、水温情報、流量情報、水槽の上位と下位の水位情報（レベル計により測位）、鉄イオンの濃度情報、アルミニウムイオンの濃度情報、ｐＨ情報などを例示することが出来る。
【発明の効果】
【００１８】
この発明は上述のような構成であり、次の効果を有する。 
多段階としたかなり広い敷地（貯留ピット、溜め池）は必要としないこととなるので、従来よりも省スペースで凝集沈殿を行うことができる排水処理システムを提供することが出来る。 
【発明を実施するための最良の形態】
【００１９】
以下、この発明の実施の形態を説明する。 
（実施形態１）
〔原水調製槽〕
図１に示すように、この実施形態の排水処理システムは、排水原水１は先ず原水調製槽２に流入させて貯留し、COD等の周期的な変動を吸収するようにしている。
〔電解凝集沈殿装置〕
凝集沈殿の処理槽３を２連にしており、前側の処理槽３に上から流入させ、後側の処理槽３へと液が順に移行していき、次に中間槽４に一時的に貯留するようにしている。この凝集沈殿の処理槽３は２槽連続して配設したが、１槽だけとして次工程へと液を移動するようにすることもできる。
【００２０】
電解凝集沈殿槽と凝集沈殿槽の処理槽３の底部から、汚泥貯留槽５へと汚泥を移行させるようにしている。
電解凝集沈殿装置は、鉄とアルミニウムの陽極電極６を交互に有し、前記陽極電極６は排水が透過するように配置され、チタン製の陰極電極７との間で排水に電流を流し、前記排水中に鉄イオンとアルミニウムイオンを溶出させ、排水中の汚れ成分を凝集沈殿させるようにしている。陽極電極６が排水を透過するようにするため、ポーラス（有孔）な電極とした。なお陰極電極７は、ポーラスではない板状電極とした。
【００２１】
したがって、鉄とアルミニウムの陽極電極６から排水中に鉄イオンとアルミニウムイオンを溶出させることができ、これにより液中に例えば塩化第二鉄やＰＡＣなどを生成させることが期待できる。
【００２２】
そして、排水中に溶出した鉄イオンとアルミニウムイオンにより、排水中の汚れ成分に電気的な引力を作用させることによって凝集沈殿させることが出来る。なお、排水の汚れの状態に応じて電流・電圧の制御の制御を行うことにより、鉄イオンやアルミニウムイオンの溶出量をコントロールすることができる。そして、陽極電極６からの金属イオンの溶出状況に応じて定期的に電極の交換を行うことができる。
【００２３】
また、陽極電極６は排水が透過するように配置されるようにしたので、排水が陽極電極６に沿って流れるようにしただけの場合よりも、鉄イオンやアルミニウムイオンの溶出量が多いものとなり、排水中の汚れ成分の凝集沈殿能が高いものとなる。なお、鉄イオンやアルミニウムイオンが仮に排水中に過剰に溶出した場合は、事後的な吸着により低減・除去することができる。
【００２４】
さらに、前記電解凝集沈殿装置の電極により、排水中の汚れ成分を電気分解するようにした。つまり、電解凝集沈殿装置に、排水の電解装置の機能を併有させるようにした。ここで、塩分の共存下における電気分解では次亜塩素酸が発生し、この次亜塩素酸が排水中の汚れ成分を酸化分解することになる。また、電気分解により活性が高い・ＯＨラジカルが発生し、この・ＯＨラジカルが排水中の汚れ成分を酸化分解することになる。さらに、陽極による直接酸化により、排水中の汚れ成分を分解することになる。
【００２５】
〔砂濾過装置〕
前記中間槽４から砂濾過装置８へと移動させ、次いで電解装置へと移送するようにしている。
〔電解装置〕
前記排水の凝集沈殿後の液を２連並列の電解槽９に供給し、汚れ成分を電気分解するようにした。したがって、この電解槽９においても、塩分の共存下における電気分解では次亜塩素酸が発生し、この次亜塩素酸が排水中の汚れ成分を酸化分解することになる。また、電気分解により活性が高い・ＯＨラジカルが発生し、この・ＯＨラジカルが排水中の汚れ成分を酸化分解することになる。さらに、陽極による直接酸化により、排水中の汚れ成分を分解することになる。
【００２６】
この電解槽９は有隔膜方式とし、移送されてきた排水を先ず陽極側に供給して汚れ成分の被酸化物質を酸化分解し、次いで陰極側に供給してｐHを調製するようにした。こうすると、塩酸や硫酸、水酸化ナトリウムなどの薬剤を消費することなしに電気化学的にｐＨ調製を行うことができる。この電解槽９を並列で２連設けている。
なお、この電解槽９に供給後の排水を更に他の有隔膜電気分解槽の陽極側や陰極側に供給することにより、そのｐHを中性域に調製するようにししてもよい。
【００２７】
〔処理水槽〕
電解槽９を通過後の清浄排水は、最終的に処理水槽10に貯めて放流するようにしている。また、この清浄排水は逆洗浄水としてフィードバックしたり、電解槽９での希釈水として利用したりするようにしている。
【００２８】
次に、この実施形態の排水処理システムの使用状態を説明する。 
陽極電極６からの溶出を利用するようにしたので、多段階としたかなり広い敷地（貯留ピット、溜め池）は必要としないこととなり、従来よりも省スペースで凝集沈殿を行うことができるという利点を有する。 
また、この排水処理システムは、従来の凝集沈殿処理のような複数の段階的なピット間の排水の移送用ポンプが不要であり、さらに処理槽３に蓋を設けることによりピットのように雨水が入らないことになって酸性雨の影響を受けないことになる。
【００２９】
ここで、従来の凝集沈殿法では貯留ピットの汚れ成分の濃度（ＣＯＤ等）に大きな変動や周期的なアップダウンがあったが、この排水処理システムによると排水の水質に合わせて処理の状況を電解条件で制御することが出来るので、汚れ成分の濃度の大きな変動やアップダウンを吸収することができ、排水の浄化処理が非常にやり易くなる。
【００３０】
これにより、工場排水、風呂湯、プール水、その他の各種の排水・排液の浄化に好適に適用することができる。
【００３１】
電解凝集沈殿装置の電極により排水中の汚れ成分を電気分解するようにしたので、電極から鉄イオンとアルミニウムイオンを溶出させると共に、併せて排水中の汚れ成分を電気分解して浄化することができる。
【００３２】
前記排水の凝集沈殿後の液を電解槽９に供給し、汚れ成分を電気分解するようにしたので、相対的に清浄化した凝集沈殿後の液を電解槽９で電気分解することにより、当初の凝集成分による電極の汚染を抑制して電解処理を行うことができる。ここで、塩分の共存下における電気分解では次亜塩素酸が発生し、この次亜塩素酸が排水中の汚れ成分を酸化分解することになる。また、電気分解により活性が高い・ＯＨラジカルが発生し、この・ＯＨラジカルが排水中の汚れ成分を酸化分解することになる。さらに、陽極による直接酸化により、排水中の汚れ成分を分解することになる。
【００３３】
（実施形態２）
上記実施形態と異なる点を中心に説明する。
図２に示すように、この実施形態では、前記電極を処理槽３内（電解凝集沈殿槽3Ａ）で斜めに配置して沈降した凝集成分の浮上を妨害するようにし、上方から次の処理槽（凝集沈殿槽3Ｂ）へと液が横溢して移行するようにした。電極は、有孔アルミニウム陽極電極6Ａｌ、無孔チタン陰極電極7Ｔｉ、有孔鉄陽極電極6Ｆｅ、無孔チタン陰極電極7Ｔｉ、・・・の順番で交互に配設している。
【００３４】
したがって、沈降した凝集成分の浮上を電極で物理的に妨害することにより、凝集成分が極力混ざらない液がこの処理槽３の上方から次の処理槽３へと横溢して移行するようにできる。また、駆動源を要するポンプなどを使用することなしに液を次工程へと移動させることができる。
また、前記電解凝集沈殿装置の電極により凝集成分の浮上を電気的に排斥するようにし、上方から次の処理槽３へと清浄な液が横溢して移行するようにしたので、凝集成分が極力混ざらない液がこの処理槽３の上方から次の処理槽３へと横溢して移行するようにできる。
そして、凝集沈殿槽の処理槽３で凝集沈殿した後の排水は、処理水槽10を介して放流するようにしている。
【００３５】
（実施形態３）
上記実施形態と異なる点を中心に説明する。
図３に示すように、この実施形態では、前記凝集沈殿槽の処理槽３から中間槽４を介し、２連並列のUF膜濾過装置11を通し、処理水槽10に貯留し、最終的に放流又は再利用するようにした。
【００３６】
（実施形態４）
上記実施形態と異なる点を中心に説明する。
この実施形態では、前記電解槽に供給後の排水をイオン透過性の電極に導いて陽イオンや陰イオンを除去するようにした（図示せず）。
このように構成すると、電解槽における浄化後の排水中の陽イオンや陰イオンを除去してさらに清浄化することができ、陽イオンと陰イオンを共に除去することにより純水を得ることが出来る。前記イオン透過性の電極として、ポーラスな陽極や陰極を使用することができる。
【００３７】
（実施形態５）
上記実施形態と異なる点を中心に説明する。
この実施形態では、前記電解槽の陰極で生成した水素ガスを収集して燃料電池に供給することにより発電して電気を起こすようにしており（図示せず）、従来は空気中に無為に放散していた水素ガスの有効利用を図ることが出来る。
【００３８】
（実施形態６）
上記実施形態と異なる点を中心に説明する。
この実施形態では、凝集沈殿の処理槽内の測定情報をインターネット回線を介して制御室で受信し、前記測定情報が適正範囲を維持するように遠隔制御するようにしており（図示せず）、インターネット回線（電気通信回線）により中央管理センターの制御室で全国あちこちの排水の処理状況を監視し、制御（リモート）することができる。前記測定情報が適正範囲を維持するように、自動で遠隔制御するようにしてもよい。
前記処理槽内の測定情報として、電導度情報、塩濃度情報、残留塩素濃度情報、電流値情報、電圧値情報、消費電力情報、電流密度情報、水温情報、流量情報、水槽の上位と下位の水位情報（レベル計により測位）、鉄イオンの濃度情報、アルミニウムイオンの濃度情報、ｐＨ情報などを例示することが出来る。
【産業上の利用可能性】
【００３９】
従来よりも省スペースで凝集沈殿を行うことができることによって、排水処理システムの用途に適用することができる。 
【図面の簡単な説明】
【００４０】
【図１】この発明の排水処理システムの実施形態１を説明するシステム・フロー図。
【図２】この発明の排水処理システムの実施形態２を説明するシステム・フロー図。
【図３】この発明の排水処理システムの実施形態３を説明するシステム・フロー図。
【符号の説明】
【００４１】
３  処理槽
６  陽極電極
７  陰極電極
９  電解槽
【図１】
2013094740.tif 000003
【図２】
2013094740.tif 000004
【図３】
2013094740.tif 000005